(57)【特許請求の範囲】
【請求項１】
複数の操作キーを備えた操作手段と、画像データを入力する入力手段と、該入力した画像データにオンスクリーン画面を重畳する手段とを備えた表示装置において、前記オンスクリーン画面を所定時間表示させた後に消去するように制御する表示制御手段と、前記オンスクリーン画面を消去した後の一定期間に前記操作手段からの所定の操作信号を無効化する無効化手段とを備えていることを特徴とする表示装置。
【請求項２】
請求項１に記載の表示装置において、前記無効化手段により無効化される所定の操作信号は、前記オンスクリーン画面の操作で用いられ且つ前記表示装置の視聴操作で用いられる操作信号であることを特徴とする表示装置。
【請求項３】
請求項２に記載の表示装置において、前記無効化手段により無効化される所定の操作信号は、前記操作手段が備える複数の操作キーのうち、数字キー、方向キー、決定キー、戻るキー、カラーキーのいずれか１つ以上に対応する操作信号であることを特徴とする表示装置。
【請求項４】
請求項２又は３に記載の表示装置において、前記無効化手段により無効化される所定の操作信号に関する情報を予め登録しておく登録手段を備え、前記無効化手段は、前記操作手段からの操作信号が前記登録手段に登録されている操作信号であった場合に、前記操作手段からの操作信号を無効化することを特徴とする表示装置。
【請求項５】
請求項１に記載の表示装置において、前記オンスクリーン画面は、各種の設定を行うためのメニュー画面、電子番組表（ＥＰＧ：Ｅｌｅｃｔｒｏｎｉｃ  Ｐｒｏｇｒａｍ  Ｇｕｉｄｅ）画面、データ放送画面のいずれかであることを特徴とする表示装置。
【請求項６】
請求項５に記載の表示装置において、前記操作手段は、前記表示装置を遠隔操作可能な遠隔操作装置であって、前記メニュー画面を表示させるための操作キー、前記ＥＰＧ画面を表示させるための操作キー、前記データ放送画面を表示させるための操作キーのいずれか１つ以上を備えていることを特徴とする表示装置。
【請求項７】
請求項１に記載の表示装置において、前記入力手段は、デジタル放送信号あるいはアナログ放送信号を受信するためのチューナであることを特徴とする表示装置。
【請求項８】
複数の操作キーを備えた操作手段と、画像データを入力する入力手段と、該入力した画像データにオンスクリーン画面を重畳する手段とを備えた表示装置の表示制御方法において、前記オンスクリーン画面を所定時間表示させた後に消去するステップと、前記オンスクリーン画面を消去した後の一定期間に前記操作手段からの所定の操作信号を無効化するステップとを有することを特徴とする表示制御方法。
【発明の詳細な説明】
【技術分野】
【０００１】
本発明は、表示装置及び表示制御方法、より詳細には、テレビジョン受像機などのメニューや電子番組表（ＥＰＧ）等のオンスクリーン画面が自動消去された後に、所定のキー入力を一定期間無効化することにより、ユーザの意図しない誤操作を防止できる表示装置及び該装置の表示制御方法に関する。
【背景技術】
【０００２】
従来、テレビジョン受像機（ＴＶ）の各種設定を行うためのメニューは、リモコンが備える「メニューボタン」がユーザにより押下されると画面に表示され、一定時間（例えば、５分程度）操作されないと自動的に消去される。また、同様に、画面上で電子プログラム（番組）ガイドを提供する電子番組表（ＥＰＧ：Ｅｌｅｃｔｒｏｎｉｃ  Ｐｒｏｇｒａｍ  Ｇｕｉｄｅ）は、リモコンが備える「ＥＰＧボタン」がユーザにより押下されると画面に表示され、一定時間（例えば、１０分程度）操作されないと自動的に消去される。
【０００３】
上記より、ＴＶのメニュー表示やＥＰＧ表示などは、一定時間操作されないと自動的に画面から消去され、ＴＶの通常視聴状態に戻る。このとき、メニューやＥＰＧを操作するためのリモコンキーや本体キーを、メニュー表示やＥＰＧ表示が画面から自動的に消えた直後に押した場合には、ＴＶの操作キーとして受け付ける。例えば、リモコンの数字キーに応じた操作信号を受け付けた場合には、その数字キーに応じた選局動作を行うことになる。
【０００４】
一方、最近のＴＶは、デジタル放送の普及に伴い多機能化しており、メニューの構成も階層化されて複雑になってきた。このような状況において、ユーザはメニューやＥＰＧが表示されている間に、画面を見ながら手元のリモコンを操作するという煩雑な作業を行わなくてはならず、特に、高齢者の場合、複雑に階層化されたメニュー画面を見ながら所望のキーを選択して押下する作業を素早く行うことは難しいという問題がある。
【０００５】
上記のごとく問題に対して、メニュー画面などの表示を制御する技術として、特許文献１に示すような従来例がある。これは、オン／オフ操作を兼ねるトグル動作が可能なリモコンキーを有するもので、オンによる処理が終わるまでは、オフを受け付けない構成となっている。例えば、オン／オフトグルコマンド信号を発生するメニューキーを操作してコマンド信号を発生し、このコマンド信号の内容を画面表示するまでの間、このメニューキーを複数回押下しても次のコマンド信号の受け付けを禁止するように構成されている。
【特許文献１】特開平７−８４５５６号公報
【発明の開示】
【発明が解決しようとする課題】
【０００６】
一般に、メニューやＥＰＧなどのオンスクリーン画面が自動的に消えた直後に受け付けたキー入力は、ユーザがオンスクリーン画面を操作するために押したキーである可能性が高い。しかし、オンスクリーン画面が消えてから受け付けたキーはＴＶの操作キーとして受け付けられてしまうため、ＴＶは選局動作等を行ってユーザの意図しないチャンネルに切り替えてしまう。その結果、ユーザの期待とは違った誤操作となってしまう。
【０００７】
図５は、従来のメニュー画面の表示制御方法を説明するための図で、図中、１００は表示装置（以下、テレビジョン受像機）、１００ａはメニュー、１００ｂは番組を示す。ここでは、チャンネル選局用の数字キー（本例では、１，２，３）を、メニュー１００ａ上の選択肢を選ぶキーとして用いる場合について説明する。まず、テレビジョン受像機１００で番組１００ｂを視聴中に、図示しないリモコンが備える「メニューキー」がユーザにより押下されると、テレビジョン受像機１００は、メニュー１００ａを番組１００ｂに重畳させて画面表示する。
【０００８】
なお、本例のメニュー１００ａには、リモコンの数字キー（１）に“映像”用の設定項目、数字キー（２）に“音声”用の設定項目、数字キー（３）に“本体”用の設定項目が割り当てられており、メニュー１００ａが画面表示されている間に、例えばリモコンの数字キー（１）がユーザにより押下されると、“映像”用の設定項目を表示させる。
【０００９】
図５において、テレビジョン受像機１００の画面上にメニュー１００ａが表示されている。テレビジョン受像機１００は、操作がないまま所定時間経過したため、メニュー１００ａの表示を消去する（Ｓ１０１）。一方、ユーザがメニュー１００ａの表示を見て選択肢（１）を選択しようとしてリモコンの数字キー（１）を押す（Ｓ１０２）。しかし、リモコンの数字キー（１）を押下したときが、メニュー１００ａが自動的に消えた直後だった場合、テレビジョン受像機１００は、リモコンの数字キー（１）を、通常のチャンネル選局キーとして受け付け（Ｓ１０３）、リモコンの数字キー（１）に応じた選局を行う（Ｓ１０４）。その結果、番組１００ｂは切り替えられて番組１００ｃを表示する。
【００１０】
このように、メニュー１００ａが画面から消えた後に受け付けたキーはテレビジョン受像機１００の選局キーとして受け付けられてしまうため、テレビジョン受像機１００は選局動作を行ってユーザの意図しないチャンネル（番組１００ｂから番組１００ｃ）に切り替えてしまう。
【００１１】
また、前述の特許文献１に記載の発明では、同一キーの入力があった場合に、タスク終了まで無視するが、別のキーの入力があった場合には、新規コマンドの入力があったものとして処理するように構成されている。また、グラフィック描画（タスク）の終了とともにキー入力を受け付ける構成となっており、メニューが消えるそのときにキーが押された場合、そのキーによる誤操作を防ぐことはできない。
【００１２】
本発明は、上述のごとき実情に鑑みてなされたものであり、メニューや電子番組表（ＥＰＧ）などのオンスクリーン画面が自動消去された後に、所定のキー入力を一定期間無効化することにより、ユーザの意図しない誤操作を防止できる表示装置及び該装置の表示制御方法を提供すること、を目的とする。
【課題を解決するための手段】
【００１３】
上記課題を解決するために、本発明の第１の技術手段は、複数の操作キーを備えた操作手段と、画像データを入力する入力手段と、該入力した画像データにオンスクリーン画面を重畳する手段とを備えた表示装置において、前記オンスクリーン画面を所定時間表示させた後に消去するように制御する表示制御手段と、前記オンスクリーン画面を消去した後の一定期間に前記操作手段からの所定の操作信号を無効化する無効化手段とを備えていることを特徴としたものである。
【００１４】
第２の技術手段は、第１の技術手段において、前記無効化手段により無効化される所定の操作信号は、前記オンスクリーン画面の操作で用いられ且つ前記表示装置の視聴操作で用いられる操作信号であることを特徴としたものである。
【００１５】
第３の技術手段は、第２の技術手段において、前記無効化手段により無効化される所定の操作信号は、前記操作手段が備える複数の操作キーのうち、数字キー、方向キー、決定キー、戻るキー、カラーキーのいずれか１つ以上に対応する操作信号であることを特徴としたものである。
【００１６】
第４の技術手段は、第２又は第３の技術手段において、前記無効化手段により無効化される所定の操作信号に関する情報を予め登録しておく登録手段を備え、前記無効化手段は、前記操作手段からの操作信号が前記登録手段に登録されている操作信号であった場合に、前記操作手段からの操作信号を無効化することを特徴としたものである。
【００１７】
第５の技術手段は、第１の技術手段において、前記オンスクリーン画面は、各種の設定を行うためのメニュー画面、電子番組表（ＥＰＧ：Ｅｌｅｃｔｒｏｎｉｃ  Ｐｒｏｇｒａｍ  Ｇｕｉｄｅ）画面、データ放送画面のいずれかであることを特徴としたものである。
【００１８】
第６の技術手段は、第５の技術手段において、前記操作手段は、前記表示装置を遠隔操作可能な遠隔操作装置であって、前記メニュー画面を表示させるための操作キー、前記ＥＰＧ画面を表示させるための操作キー、前記データ放送画面を表示させるための操作キーのいずれか１つ以上を備えていることを特徴としたものである。
【００１９】
第７の技術手段は、第１の技術手段において、前記入力手段は、デジタル放送信号あるいはアナログ放送信号を受信するためのチューナであることを特徴としたものである。
【００２０】
第８の技術手段は、複数の操作キーを備えた操作手段と、画像データを入力する入力手段と、該入力した画像データにオンスクリーン画面を重畳する手段とを備えた表示装置の表示制御方法において、前記オンスクリーン画面を所定時間表示させた後に消去するステップと、前記オンスクリーン画面を消去した後の一定期間に前記操作手段からの所定の操作信号を無効化するステップとを有することを特徴としたものである。
【発明の効果】
【００２１】
本発明によれば、テレビジョン受像機などの表示装置のメニューやＥＰＧ等のオンスクリーン画面が自動消去された後に、所定のキー入力を一定期間無効化することにより、ユーザの意図しない誤操作を防止することができ、操作が複雑なテレビジョン受像機などにおいてもユーザは安心して操作することができる。
【発明を実施するための最良の形態】
【００２２】
図１は、本発明の一実施形態に係る表示装置の構成例を示すブロック図で、図中、１０は表示装置で、該表示装置１０は、アナログ放送信号あるいはデジタル放送信号を受信するためのチューナ部１１と、受信したアナログ放送信号あるいはデジタル放送信号（以下、放送データという）を復号（デコード）する信号処理部１２と、復号した放送データにオンスクリーン画面を重畳するＯＳＤ部１３と、制御プログラムやデータ等が記憶された不揮発性メモリ１４と、制御プログラムの実行領域であるワークメモリ１５と、液晶ディスプレイ（ＬＣＤ：Ｌｉｑｕｉｄ  Ｃｒｙｓｔａｌ  Ｄｉｓｐｌａｙ）などの表示部１６と、複数の操作キーを備えた操作手段１７と、各部を制御するＣＰＵなどの制御部１８と、を備えて構成される。
【００２３】
なお、本発明の表示装置１０は、例えば、テレビジョン受像機や、パーソナルコンピュータなどのテレビチューナ機能を備えた表示装置全般に適用することができる。チューナ部１１は、本発明の入力手段に相当する。この入力手段の実施形態は、チューナ部１１以外であってもよく、記録再生装置等を介して外部記録媒体（ＨＤＤ，ＤＶＤ，メモリカードなど）にアクセス可能とし、外部記録媒体から画像データを入力するようにしてもよい。また、操作手段１７は、表示装置１０を遠隔操作可能な遠隔操作装置（以下、リモコン１７という）、あるいは、表示装置１０本体に設けられた操作部のいずれであってもよい。
【００２４】
ＯＳＤ部１３は、放送データにオンスクリーン画面を重畳する手段であって、ユーザ操作に従って、各種の設定を行うためのメニュー画面、ＥＰＧ画面、データ放送画面などをオンスクリーン画面として放送データに重畳する処理を行う。以下、本発明の表示装置１０の好適な実施形態として、放送データにメニュー画面を重畳した場合を代表例として説明するが、ＥＰＧ画面あるいはデータ放送画面を重畳した場合でも同様である。
【００２５】
図１において、表示装置１０は、複数の操作キーを備えたリモコン１７により遠隔操作され、リモコン１７から赤外線あるいは電波等により送信されてくる操作信号を受信するための受信部（図示せず）を備えている。チューナ部１１で受信した放送データの視聴中に、リモコン１７が備える「メニューキー」が押下されると、対応するメニュー画面を放送データに重畳して表示する。
【００２６】
制御部１８は、上記メニュー画面を所定時間表示させた後に消去するように制御する表示制御手段１８１と、メニュー画面を消去した後の一定期間にリモコン１７からの所定の操作信号を無効化する無効化手段１８２とを構成する。メニュー画面を表示させる時間は予め設定可能とし、この設定時間が経過するとメニュー画面は自動的に消去される。そして、メニュー画面が消去された後の一定期間（例えば、２００ｍｓ以上１秒未満で設定可）、リモコン１７から送られてくる操作信号のうち、数字キーなどの所定の操作キーに対応する操作信号を無効化する。
【００２７】
これにより、メニュー画面を消去した後に、リモコン１７から送られてくる数字キーの操作信号を受け付けた場合でも、数字キーに対応する選局動作を行うことがないため、ユーザが意図しない誤操作を防止することができる。
【００２８】
ここで、リモコン１７の所定の操作キーに対応する操作信号を無効化する時間は、メニュー１０ａを自動的に消去してから少なくとも２００ｍｓとし、また、通常の操作の妨げにならないように長くても１秒程度とすることが望ましい。
【００２９】
上述した表示制御手段１８１と無効化手段１８２は、制御プログラムとして不揮発性メモリ１４に記憶されており、実行時において、制御部１８が不揮発性メモリ１４からワークメモリ１５に読み出して処理を実行する。
【００３０】
図２は、図１に示したリモコン１７の外観構成例を示す図である。リモコン１０は、複数の操作キーとして、例えば、チャンネルを選局するためのチャンネル選局キーである数字キー１７１と、上下左右にカーソルを移動させるための方向キー１７２と、選択確定するための決定キー１７３と、１つ前の画面に戻すための戻るキー１７４と、各種機能が割り当てられる青／赤／緑／黄からなるカラーキー１７５と、メニューを表示させるためのメニューキー１７６と、ＥＰＧを表示させるための番組表キー１７７と、データ放送を受信するためのデータ連動キー１７８と、を含んで構成されている。
【００３１】
例えば、数字キー１７１は、番組視聴時においては、チャンネル選局キーとして機能するが、メニュー画面が表示されている間は、メニューを選択するための選択肢（選択キー）として機能する。同様に、方向キー１７２、決定キー１７３、戻るキー１７４、カラーキー１７５などは、番組視聴時とオンスクリーン画面表示時の両方で利用される操作キーである。なお、カラーキー１７５は、各種機能が割り当てられ、番組視聴時とデータ放送画面表示時の両方で利用される場合がある。
【００３２】
無効化手段１８２は、オンスクリーン画面の表示を消去した後の一定時間、上記数字キー１７１，方向キー１７２，決定キー１７３，戻るキー１７４，カラーキー１７５などの操作キーのように、オンスクリーン画面の操作で用いられ且つ表示装置１０の視聴操作（選局など）で用いられる操作キーの操作信号を無効化する。
【００３３】
図３は、本発明に係るメニュー画面の表示制御方法の一例を説明するための図で、図中、１０ａはメニュー、１０ｂは番組を示す。なお、本例では、図１に示した表示装置１０と図２に示したリモコン１７に基づいて説明する。
【００３４】
ユーザがリモコン１７を操作して所望のチャンネル選局キー１７１を押下すると、表示装置１０は、ユーザにより押下されたチャンネル選局キー１７１に応じたチャンネルを選局してその番組１０ｂを画面に表示する。次に、ユーザが番組１０ｂを視聴中に、リモコン１７を操作してメニューキー１７６を押下すると、表示装置１０は、対応するメニュー１０ａを番組１０ｂに重畳して所定時間表示する。
【００３５】
図３において、表示装置１０の画面上にメニュー１０ａが重畳されて表示されている。表示装置１０は、メニュー１０ａを表示してから操作がないまま一定時間経過したため、メニュー１０ａの表示を消去する（Ｓ１）。一方、ユーザがメニュー１０ａの表示を見て選択肢（１）を選択しようとしてリモコン１７の数字キー（１）を押す（Ｓ２）。この数字キー（１）の押された時点が、メニュー１０ａが自動的に消えた直後だった場合、表示装置１０は、メニュー１０ａを消去した後の一定期間、リモコン１７の数字キー（１）を通常のチャンネル選局キーとして認識せずに無効化する（Ｓ３）。その結果、番組１０ｂは切り替えられずにそのまま表示され、ユーザの意図しない選局が行われることはない（Ｓ４）。
【００３６】
Ｓ１において、メニュー１０ａを表示してから一定時間経過した後に自動的に消去する処理は表示制御手段１８１により実行される。なお、メニュー１０ａを消去するまでの時間は不揮発性メモリ１４に予め登録しておくが、制御プログラムによって任意に設定可能とする。
【００３７】
Ｓ３において、リモコン１７の数字キー（１）の操作信号を無効化する処理は無効化手段１８２により実行される。また、無効化手段１８２により無効化する操作キーは、上記数字キーに限らず、メニュー１０ａの操作で用いられ且つ表示装置１０の視聴操作（選局操作など）で用いられるものであればよい。例えば、リモコン１７が備える複数の操作キーのうち、数字キー１７１、方向キー１７２、決定キー１７３、戻るキー１７４、カラーキー１７５のいずれか１つ以上であってもよい。
【００３８】
不揮発性メモリ１４には、無効化手段１８２により無効化される操作信号（操作キー）に関する情報を予め登録しておく。無効化手段１８２は、リモコン１７からの操作信号が不揮発性メモリ１４に登録されている操作信号であった場合に、リモコン１７からの操作信号を無効化する。また、リモコン１７の数字キー（１）を無効化する時間は、メニュー１０ａを自動的に消去してから少なくとも２００ｍｓとし、また、通常の操作の妨げにならないように長くても１秒程度とすることが望ましい。そこで、操作キーを無効化する時間は、２００ｍｓ以上１秒未満の範囲で制御プログラムによって任意に設定可能とする。
【００３９】
図４は、本発明に係るメニュー画面の表示制御方法の一例を説明するためのフロー図である。なお、本例では、メニュー１０ａを自動的に消去するまでの時間と、無効化する操作キーと、無効化する時間とが不揮発性メモリ１４に登録された状態にあるものとして説明する。
【００４０】
まず、表示装置１０は、メニュー１０ａを表示させてから所定時間経過後に、メニュー１０ａを自動的に消去し（ステップＳ１１）、リモコン１７からの操作キーの入力を受け付ける（ステップＳ１２）。
【００４１】
次に、表示装置１０は、受け付けた操作キーに対して、無効化する期間かどうかを判断し（ステップＳ１３）、無効化する期間と判断された場合（ＹＥＳの場合）、無効化する操作キーかどうかを判断し（ステップＳ１４）、無効化する操作キーと判断された場合（ＹＥＳの場合）、受け付けた操作キーは無効化対象且つ無効化期間にあるため、キー入力を無効化し（ステップＳ１５）、ステップＳ１２に戻り処理を繰り返す。
【００４２】
次に、表示装置１０は、ステップＳ１３において、無効化する期間ではないと判断された場合（ＮＯの場合）、また、ステップＳ１４において、無効化する操作キーではないと判断された場合（ＮＯの場合）、受け付けた操作キーは有効なので、ＴＶ操作キーとして処理し（ステップＳ１６）、ステップＳ１２に戻り処理を繰り返す。なお、ステップＳ１３とステップＳ１４は、処理の順序を逆にしてもよい。
【００４３】
以上説明したように、本発明によれば、テレビジョン受像機などの表示装置のメニューやＥＰＧ等のオンスクリーン画面が自動消去された後に、所定のキー入力を一定期間無効化することにより、ユーザの意図しない誤操作を防止することができ、操作が複雑なテレビジョン受像機などにおいてもユーザは安心して操作することができる。
【図面の簡単な説明】
【００４４】
【図１】本発明の一実施形態に係る表示装置の構成例を示すブロック図である。
【図２】図１に示したリモコンの外観構成例を示す図である。
【図３】本発明に係るメニュー画面の表示制御方法の一例を説明するための図である。
【図４】本発明に係るメニュー画面の表示制御方法の一例を説明するためのフロー図である。
【図５】従来のメニュー画面の表示制御方法を説明するための図である。
【符号の説明】
【００４５】
１０，１００…表示装置（テレビジョン受像機）、１１…チューナ部、１２…信号処理部、１３…ＯＳＤ部、１４…不揮発性メモリ、１５…ワークメモリ、１６…表示部、１７…操作手段（リモコン）、１８…制御部、１７１…数字キー、１７２…方向キー、１７３…決定キー、１７４…戻るキー、１７５…カラーキー、１８１…表示制御手段、１８２…無効化手段。
【図１】
0004619283.tif 000002
【図２】
0004619283.tif 000003
【図３】
0004619283.tif 000004
【図４】
0004619283.tif 000005
【図５】
0004619283.tif 000006